(57)【特許請求の範囲】
【請求項１】
端部同士を接続して雨樋を一体に継ぎ合わせる雨樋継手構造において、
一方の雨樋の一側端部分に樋凹溝部内側に板厚分凹ませてなる縮径部を形成し、この縮径部の外側に他方の雨樋の端部を嵌め合わせて接着剤で接続し、
前記縮径部の内側面に略密着状態で接合する縮径部被着帯部とその両側に設けられた樋凹溝部の内側面に略密着状態で接合する凹溝内側面被着帯部とを有して形成された継手部材を、前記接続した雨樋の継ぎ目に沿って被覆するように縮径部被着帯部を前記縮径部に重ねて樋凹溝部内側面に装着し、前記両凹溝内側面被着帯部を前記両雨樋の樋凹溝内側面にそれぞれ接着した構成を有する雨樋継手構造。
【請求項２】
雨樋の一側の支持受耳部に継手部材の係合挿入片を嵌めこみ、他側の支持受耳部に、一側を継手部材に係合させた継手係止部材の他側を係合させた構成を有する請求項１に記載の雨樋継手構造。
【発明の詳細な説明】
【０００１】
【発明の属する技術分野】
本発明は、長手方向に隣接する雨樋を連結するための雨樋継手構造に関する。
【０００２】
【従来の技術と発明が解決しようとする課題】
従来、長手方向に隣接する雨樋の連結は、一方の雨樋の端部を隣接する他方の雨樋の端部に差し込んで嵌め合わせ、この嵌め合わせ部分を接着するか或いは外側からプレスして密着させて継ぎ合わせるのが一般的であった。
【０００３】
しかし、このような継手構造では、長年使用しているうち、例えば地震等によって連結が緩まり、当該連結部から水漏れが生じてくるという問題があった。
【０００４】
上記連結構造に加えて、隣接する雨樋の連結部に金具等の継手部材を取り付け、かかる継手部材によって雨樋の嵌め合わせ部分を外側から締めつけて連結の緩みを防ぐ手段も考えられるが、この場合には特に、継手部材の取り付けによる外観の低下や施工の負担の増大に留意する必要がある。
【０００５】
そこで本発明は、かかる従来の問題点を解決すべく、隣接する雨樋の継手構造において、水漏れを確実に防止することができ、それでいて外観の低下や施工負担の増大を招くことのない雨樋継手構造を提供せんとするものである。
【０００６】
【課題を解決するための手段】
かかる課題を解決するため、本発明は、端部同士を接続して雨樋を一体に継ぎ合わせる雨樋継手構造において、一方の雨樋の一側端部分に樋凹溝部内側に板厚分凹ませてなる縮径部を形成し、この縮径部の外側に他方の雨樋の端部を嵌め合わせて接着剤で接続し、前記縮径部の内側面に略密着状態で接合する縮径部被着帯部とその両側に設けられた樋凹溝部の内側面に略密着状態で接合する凹溝内側面被着帯部とを有して形成された継手部材を、前記接続した雨樋の継ぎ目に沿って被覆するように縮径部被着帯部を前記縮径部に重ねて樋凹溝部内側面に装着し、前記両凹溝内側面被着帯部を前記両雨樋の樋凹溝内側面にそれぞれ接着した構成を有することとした。なお、上記構成において、雨樋の長手方向一側端部部分を板厚分凹ませるのは連結した雨樋の外側面を面一にするためであり、かかる「板厚」は隣接する雨樋の長手方向一側端部の板厚を意味する。「縮径部」は、樋凹溝部の全縁に沿って形成することも、樋凹溝部に沿ってその一部に形成することも可能である。また、継手部材の「被着」手段は、接着、溶着、融着などの適宜固着手段を採用することが可能である。
【０００７】
かかる構成の雨樋継手構造によれば、隣接する雨樋間を嵌め合わせると共に継ぎ目を継手部材で被閉してなる二重構造によって当該継ぎ目からの水漏れをなくすことができる。そればかりか、継手部材を樋凹溝部内に配置し、しかも雨樋の継手端部に縮径部を形成することにより、連結状態の雨樋外側面を面一とすることができるから、雨樋の継ぎ目を外側からは目立たなくなり、外観を低下させないどころか従来以上に雨樋の外観を向上させることができる。また、構造的に複雑ではないから施工も容易である。
【０００８】
上記雨樋継手構造は、樋凹溝部内において、縮径部を被覆するように継手部材を樋凹溝部内側面に被着するように構成することができる。このような構成に限定するものではないが、このように構成すれば、縮径部と継手部材との係合によって隣接する雨樋をより強固に連結できるばかりか、連結部（継手部分）の水密性を一層高めることができる。
【０００９】
さらに、隣接する雨樋の嵌め合わせ部を水密に接着すると共に、継手部材を樋凹溝部内側面に水密に接着し、連結部に二重水密接着構造を付加すれば、連結部の水密性をより一層高めることができる。なお、ここでいう「二重水密接着構造」とは、連結部に水密性を有する接着部を２つ付加してなる構造をいう。
【００１０】
雨樋の一側の支持受耳部に継手部材の係合挿入片を嵌めこみ、他側の支持受耳部に、一側を継手部材に係合させた継手係止部材の他側を係合させて、上記の継手部材を係止することもできる。このように構成すれば、継手部材のずれ、特に浮き上がりを確実に抑えることができ、ひいては隣接する雨樋の連結強度を高めることができ、連結部（継手部分）の水密性もより一層高めることができる。
【００１１】
【発明の実施の形態】
以下、本発明の実施形態を、実施例に基づいて詳しく説明する。
【００１２】
本実施例の雨樋継手構造Ａは、図１に示すように、雨樋１、雨樋２、継手部材３及び継手係止部材４から構成してある。
【００１３】
雨樋１、２はいずれも、塩化ビニル樹脂などの合成樹脂素材或いは表面が合成樹脂で被覆された鋼板から成形した適宜板厚の長尺成形体であり、図１に示すように、略上向きコ字状の断面を有する長尺な樋凹溝部５と、この樋凹溝部５の両側上縁部に沿って形成された支持受耳部６、７とからなる樋本体部８を有し、この樋本体部８の長手方向一側端部から縮径部９を長手外側方向に適宜長さＨだけ延設して形成してある。
【００１４】
この縮径部９は、樋凹溝部５から樋凹溝内側に一段凹ませて断面形状が樋凹溝部５よりも板厚分だけ小さくなるように形成してあり、図３及び図５に示すように、雨樋１の縮径部９の外側に雨樋２の樋凹溝部５の長手方向他側端部を略密着状態に嵌め合わせることができ、しかも嵌め合わせ状態で樋の外側面が面一となり、縮径部９は樋凹溝部５の内側面から板厚分だけ突出した状態になるように形成してある。
【００１５】
継手部材３は、塩化ビニル樹脂などの合成樹脂素材から一体に成形してなるものであり、図２に示すように、上記縮径部９の内側面に略密着状態で沿い得るように当該縮径部９の断面形状と略同形状に形成してなる幅Ｈ或いはこれより若干大幅の縮径部被着帯部１１と、この縮径部被着帯部１１の両側に形成され、樋凹溝部５の内側面に略密着状態で沿い得るように当該樋凹溝部５の断面形状と略同形状に形成してなる適宜幅の凹溝内側面被着帯部１２、１３と、これら凹溝内側面被着帯部１２、１３の屋外側上縁部から樋凹溝内側水平方向に張出し、先端下面部に係合突起部１５を形成してなる係止腕部１４、１４と、縮径部被着帯部１１及び凹溝内側面被着帯部１２、１３の家屋側上縁部から斜め上方外側に立設してなる係合挿入片１６とを有するように形成してある。
【００１６】
継手係止部材４は、塩化ビニル樹脂などの合成樹脂素材又は可撓性を有する金属素材から一体に成形してなるものであり、図２に示すように、上記継手部材３と略同じ長さを有し、雨樋１（２）の支持受耳部６内に挿入係合可能な立設片１８ａ及び折曲片１８ｂとからなる係合部１８と、当該係合部１８から垂下片部１９を介して連設された係合受け部２０、２０とを有している。
この係合受け部２０は、前記継手部材３の係止腕部１４、１４と係合するように、垂下片部１９の下端縁から水平方向家屋側に上面部２０ａを張出し、この上面部２０ａの前縁から若干幅の前面部２０ｂを垂下し、そしてこの前面部２０ｂの下端縁部の継手部材３の係止腕部１４、１４と対応する位置から当該係止腕部１４と略同幅の係合腕部２０ｃ，２０ｃを水平方向屋外側に張出すと共に各係合腕部２０ｃの先端上面部に係合突起部２０ｄを形成し、断面コ字状の係合受け部として形成してある。
【００１７】
ここで、雨樋継手構造Ａの施工方法について説明する。
先ず、雨樋１の縮径部９の外側面に接着剤を塗布しておき、図３に示すように、この縮径部９に雨樋２の樋凹溝部５の長手方向他側端部を密着状態に嵌め合わせて雨樋１と雨樋２とを連結する。このとき、連結した状態の雨樋の外側面は面一となり、樋凹溝部５内において縮径部９は樋凹溝部５の内側面から板厚分だけ突出した状態となる。
【００１８】
次に、図５に示すように、継手部材３の縮径部被着帯部１１の外側面（被着面）にコーキング材２１を塗布すると共に、凹溝内側面被着帯部１２、１３の外側面（被着面）に接着剤２２を塗布しておき、図４（Ａ）に示すように、当該継手部材３の係合挿入片１６を雨樋１、２の支持受耳部７、７内に差し込み、図４（Ｂ）に示すように、係合挿入片１６の先端部を軸として回転させて樋凹溝部５内に嵌め込むようにする。そして、図５に示すように、縮径部被着帯部１１を縮径部９に重ねると共に、凹溝内側面被着帯部１２、１３を雨樋１、２の樋凹溝部５の内側面に接着させて継手部材３を樋凹溝部５内に装着する。
この時、係合挿入片１６の先端部は支持受耳部７の奥隅部を若干の押圧力をもって当接し弾性係合している状態であるのが好ましい。また、縮径部９をコーキング材２１が包みこみつつ当該縮径部９を縮径部被着帯部１１及び凹溝内側面被着帯部１２、１３が被覆する状態となるのが好ましい。
【００１９】
そして次に、図４（Ｃ）に示すように、継手係止部材４の立設片１８ａを雨樋１、２の支持受耳部６、６内に差し込んで当該立設片１８ａの先端部を支持受耳部６の奥隅部に当接させるように押し込み、可撓性を利用して係合部１８を支持受耳部６に弾性係合させる一方、係合受け部２０内に継手部材３の係止腕部１４を差し込んで互いに係合させるようにして継手係止部材４を支持受耳部６、継手部材３間に固定装着する。
この時、係合受け部２０と係止腕部１４との係合により、継手部材３は継手係止部材４によって上方から押さえつけられた状態に係止され、継手部材３自体のずれ特に浮き上がりが確実に抑えられる。
【００２０】
雨樋継手構造Ａは、上記の如く、隣接する雨樋１、２の継ぎ目１０を継手部材３で水密性を確保しつつ被閉する二重構造を有し、更には雨樋１、２間を接着部を介して直接連結すると共に、継手部材３と樋凹溝部５の内側面とを接着部を介して被着する二重水密接着構造も有しているから、連結部の水密性が極めて高く水漏れの心配がない。
しかも、樋凹溝部５内に突出した縮径部９を、雨樋１、２を跨いで接着してなる継手部材３で密閉状態に被覆しかつ係止し、更にこの継手部材３を継手係止部材４によって上方から係止する構成ともなっているから、たとえ地震があっても雨樋１、２間の連結が緩むことはなく、当該連結部の水密性はより確実に確保されるようになっている。
それでいて、当該継手部材３は樋凹溝部５内に配置され外側から見えないばかりか、連結した雨樋１、２の外側面は面一となり、あたかも一本の長尺な雨樋から構成されたように見えるから、従来以上に雨樋の外観を向上させることができる。
【図面の簡単な説明】
【図１】本発明にかかる雨樋継手構造の一例を示した分解斜視図である。
【図２】図１の雨樋継手構造を構成する継手部材及び継手係止部材の一例を示した部分断面斜視図である。
【図３】図１の雨樋継手構造において、隣接する雨樋を連結した状態を示した分解斜視図である。
【図４】（Ａ）〜（Ｃ）は、図１の雨樋継手構造の施工工程を順次示した縦断面図である。
【図５】継手部材と雨樋との被着構造の一例を示した横断面図である。
【符号の説明】
１、２      雨樋
３          継手部材
４          継手係止部材
５          樋凹溝部
６、７      支持受耳部
８          樋本体部
９          縮径部
１０        継ぎ目
１１        縮径部被着帯部
１２、１３  凹溝内側面被着帯部
１４        係止腕部
１５        係合突起部
１６        係合挿入片
１８        係合部
１９        垂下片部
２０        係合受け部
【図１】
0003943292.tif 000002
【図２】
0003943292.tif 000003
【図３】
0003943292.tif 000004
【図４】
0003943292.tif 000005
【図５】
0003943292.tif 000006